(57)【要約】【課題】この発明に係る消臭機能付きエレベータは、消臭用に大掛かりな据付工事を必要としないとともに設置スペースが不用であり、製造コストも大幅に削減でき、さらに消臭のための消費電力が不用であり、ランニングコストがかからない消臭機能付きエレベータを得る。【解決手段】この発明に係る消臭機能付きのエレベータは、昇降路１内を昇降する乗りかご２の内壁の表面層に、バインダー樹脂に消臭剤が含有した消臭層１５が形成されており、この消臭層１５が乗りかご２内の臭を吸収し、乗りかご２内の悪臭を緩和する。【選択図】図１
2010116243.tif 000002
【特許請求の範囲】
【請求項１】
昇降路内を昇降する乗りかごの内壁の表面層には、バインダー樹脂に消臭剤が含有し乗りかご内の臭いを吸収する消臭層が形成されていることを特徴とする消臭機能付きエレベータ。
【請求項２】
前記乗りかごには、前記昇降路内の外気を乗りかごの内部に吸入する吸入ファンが設けられており、前記乗り場ドア及び乗りかごドアが開いた、前記乗りかごの待機中に、前記吸入ファンが作動し、乗りかご内に吸入した前記外気により、乗りかご内の前記臭いを乗り場側に強制的に排出することを特徴とする請求項１に記載の消臭機能付きエレベータ。
【請求項３】
前記乗りかごには、乗りかご内の前記臭いを前記昇降路に排出する排出ファンが設けられていることを特徴とする請求項１または２に記載の消臭機能付きエレベータ。
【請求項４】
前記乗りかごには、乗りかごの内部の臭いを検知する臭いセンサが取り付けられていることを特徴とする請求項１〜３の何れか１項に記載の消臭機能付きエレベータ。
【請求項５】
前記消臭剤の主成分は、多孔質無機物質である活性炭であり、また前記バインダー樹脂は、アクリル系樹脂であることを特徴とする請求項１〜４の何れか１項に記載の消臭機能付きエレベータ。
【発明の詳細な説明】
【技術分野】
【０００１】
この発明は、乗りかご内を消臭する消臭機能付きエレベータに関するものである。
【背景技術】
【０００２】
不特定多数の利用者が乗り込むエレベータのかごには、様々な残り香りがある。
特に、乗りかごは、利用者の乗り降り以外は、ドアを閉めた密閉状態になっているので、前回の利用者の残り香、例えば、体臭、アルコール臭、化粧品の臭い等により、第三者に不快感を与える臭い（悪臭）、またこれらの混合臭等が乗りかご内に充満することがあり、新たに乗り込んできた利用者に不快感を与える場合が多い。
【０００３】
このような不都合を解消する消臭機能付きエレベータとして、乗客を乗せて昇降路内を昇降する乗りかごと、この乗りかご上に設けられ前記乗りかごの天井部に設けられた開口部を介して乗りかご内の空気の入れ替えを行なう換気装置と、前記乗りかご上に前記換気装置とは独立して設けられ消臭剤を生成する消臭装置と、この消臭装置から生成する消臭剤を前記乗りかご内に送出する連結路とを備えたエレベータが知られている。（例えば、特許文献１参照）。
【０００４】
【特許文献１】特開２００４−９１０５４号公報
【発明の開示】
【発明が解決しようとする課題】
【０００５】
しかしながら、上記消臭機能付きエレベータでは、消臭剤を生成する消臭装置、換気装置に消臭剤を送る可撓性のチューブ等をかごの天井に設置しなければならず、据付工事が必要になるとともに、専用の据付スペースを確保しなければならず、また製造コストが嵩むという問題点があった。
【０００６】
この発明は、上記のような問題点を解決することを課題とするものであって、大掛かりな据付工事を必要としないとともに専用の設置スペースが不用であり、製造コストも大幅に削減できる消臭機能付きエレベータを得ることを目的とする。
【課題を解決するための手段】
【０００７】
この発明に係る消臭機能付きエレベータは、昇降路内を昇降する乗りかごの内壁の表面層に、バインダー樹脂に消臭剤が含有し乗りかご内の臭いを吸収する消臭層が形成されている。
【発明の効果】
【０００８】
この発明による消臭機能付きエレベータによれば、乗りかごの内壁の表面層に消臭層が形成されているので、大掛かりな据付工事を必要とすることなく、また専用の設置スペースが不用で、かつ低コストで乗りかご内の悪臭を緩和させることができる。
【発明を実施するための最良の形態】
【０００９】
以下、この発明の各実施の形態の消臭機能付きエレベータについて図に基づいて説明するが、各図において、同一または相当部材、部位については同一符号を付して説明する。
実施の形態１．
図１はこの発明の実施の形態１の消臭機能付きエレベータを示す概略構成図、図２は乗りかご２の壁の部分断面図、図３は図１の吸入ファン１１に関する電気回路図である。
この消臭機能付きエレベータは、昇降路１内の乗りかご２が主索（図示せず）を介して釣合おもり（図示せず）と連結されている。
この乗りかご２は、巻上機（図示せず）の駆動力により昇降路１内を昇降するようになっている。
各階の階床３，４の乗場には、乗場釦（図示せず）が設けられている。乗りかご２内には、行先階釦（図示せず）等が組み込まれたかご操作盤（図示せず）が設けられている。
乗場釦、行先階釦を押すことで、その信号は、乗りかご２の運行を決める信号としてケーブル５を通じて制御装置６に記憶される。
【００１０】
乗りかご２の天井の下面には、蛍光灯１２が取り付けられている。乗りかご２の天井の上面には、乗りかご２の外部の昇降路１内の空気を乗りかご２内に吸い込む吸入ファン１１が取り付けられている。また、乗りかご２の天井の上面には、ドア駆動装置１０が取り付けられている。このドア駆動装置１０の作動により、乗りかごドア９が開閉し、また乗りかごドア９と対向して係合した乗り場ドア７，８も、乗りかごドア９に連動して開閉する。
乗りかご２内には、臭いセンサ１３が取り付けられており、この臭いセンサ１３が所定の臭いを検知するようになっている。
【００１１】
乗りかご２内の天井を除く内壁、つまり乗りかごドア９側の乗りかご２の正面内壁、正面内壁と対向した背面内壁、両側内面壁、床及び天井は、それぞれの基材１４上に、バインダー樹脂に消臭剤が含有した消臭層１５が形成されている。
消臭剤の主成分は、例えば多孔質無機物質である活性炭であり、またバインダー樹脂は、例えばアクリル系樹脂である。
【００１２】
上記構成の消臭機能付きエレベータでは、昇降路１内を昇降する乗りかご２の内壁の表面層には、バインダー樹脂に消臭剤が含有した消臭層１５が形成されているので、乗りかご２内の悪臭は、消臭層１５により常時吸収され、乗りかご２内の悪臭は緩和される。
また、乗りかご２内の臭いの強さが消臭層１５の臭い吸収能力を上回り、乗りかご２内の臭いが許容される臭を超えた場合には、臭いセンサ１３が作動し、音または光により警報が発せられる。
【００１３】
この警報により、乗客は乗りかご２内に臭いが充満していることを客観的に知ることができる。
この後、照明スイッチ１６が「ＯＮ」で蛍光灯１２に通電された状態で、乗りかご２内の操作盤に設けられた、ファン用スイッチ１７を「ＯＮ」にして吸入ファン１１を作動する。
また、操作盤に設けられた待機スイッチ（図示せず）も「ＯＮ」にすることで、乗りかご２の運転を停止し、乗りかごドア９、及び乗りかごドア９と対向した乗り場ドア７，８を開とする。
この結果、昇降路１内の空気は、吸入ファン１１の作動により、乗りかご２内に吸入され、そのまま乗り場２２側に流出するが、そのとき乗りかご２内の臭いは乗りかご２の外部に強制的に排出される。
【００１４】
なお、臭いセンサ１３の検知に関係なく、吸入ファン１１を作動させて随時乗りかご２内の臭いを乗りかご２の外部に強制的に排出するようにしてもよい。
また、臭いセンサ１３の検知信号が制御装置６に送られ、この制御装置６からの信号により乗りかご２が自動的に待機状態に移行し、また吸入ファン１１が作動し、乗りかご２内の悪臭を自動的に乗り場２２側に排出させるようにしてもよい。
【００１５】
以上説明したように、この消臭機能付きのエレベータによれば、昇降路１内を昇降する乗りかご２の内壁の表面層には、乗りかご２内の臭いを吸収する消臭層１５が形成されているので、大掛かりな据付工事を必要とすることなく、また専用の設置スペースが不用で、かつ低コストで乗りかご内の悪臭を緩和させることができる。
また、消臭のための消費電力が不用であり、ランニングコストもかからないという効果もある。
【００１６】
また、昇降路１内の空気は、吸入ファン１１の作動により、乗りかご２内に吸入され、そのまま乗りかご２内の悪臭とともに乗り場２２側に排出されるので、乗りかご２の消臭層１５では吸収、除去されなかった悪臭は、短時間で強制的に除去され、消臭作業に時間をかけることなく、直ぐに運転を再開することができる。
【００１７】
また、乗りかご２には、乗りかご２の内部の臭いを検知する臭いセンサ１３が取り付けられているので、臭いの程度を客観的に判断することができ、乗りかご２内の悪臭は迅速に除去される。
【００１８】
実施の形態２．
図４は、この発明の実施の形態２の消臭機能付きエレベータに組み込まれた、吸入ファン１１及び排出ファン２１に関する電気回路図である。
このエレベータでは、吸入ファン１１と並列に、逆回転用回路２０及び排出ファン２１が電気的に接続されている。
この排出ファン２１は、乗りかご２の天井の上面に吸入ファン１１と並んで取り付けられている。
この他の構成は、実施の形態１と同じである。
【００１９】
この実施の形態では、例えば乗りかご２が昇降中に、乗りかご２内の悪臭を強制的に外部に排出したいときには、切換スイッチ２３を排出ファン２１側に切り換え、吸入ファン１１と回転方向が反対の排出ファン２１を作動させて、乗りかご２内の悪臭を昇降路１側に排出させる。
この実施の形態の消臭機能付きエレベータによれば、実施の形態１と同様の効果を得ることができるとともに、乗りかご２の運転中は排出ファン２１を作動させ、乗りかご２の待機中は吸入ファン１１をさせることで、エレベータの運転時には、常時乗りかご２内の臭いを乗りかご２の外部に迅速に排出することができるという効果がある。
【００２０】
なお、消臭層１５に含まれる消臭剤の主成分として、多孔質無機物質であるシリカゲル、ゼオライト等を用いてもよく、またバインダー樹脂として、ウレタン系樹脂、エポキシ樹脂等を用いてもよいのは勿論である。
【図面の簡単な説明】
【００２１】
【図１】この発明の実施の形態１の消臭機能付きエレベータを示す概略構成図である。
【図２】図１の乗りかごの壁を示す部分断面図である。
【図３】図１の吸入ファンに関する電気回路図である。
【図４】この発明の実施の形態２の消臭機能付きエレベータに組み込まれた、吸入ファン及び排出ファンに関する電気回路図である。
【符号の説明】
【００２２】
１  昇降路、２  乗りかご、１１  吸入ファン、１３  臭いセンサ、１５  消臭層、２１  排出ファン、２２  乗り場。
【図１】
2010116243.tif 000003
【図２】
2010116243.tif 000004
【図３】
2010116243.tif 000005
【図４】
2010116243.tif 000006